(57)【要約】【課題】所定のケース体１０内に放電手段１２を備え、放電手段１２で生成されたマイナスイオンをイオン放出口２４からケース体１０の外部に向けて吹き出す携帯式のイオン発生器具にあって、簡単な構成を維持しながら、マイナスイオンの生成効率を高めることを可能とする。【解決手段】ケース体１０の内部に、マイナス極性の高電圧が印加されてマイナスイオンを生成可能とする放電電極１６と、その放電電極１６の近傍に配置した対向電極２０とを備え、更にケース体１０の外周面に露出して補助電極２２を配設するとともに、対向電極１６と補助電極２２とを、ケース体内部のアースライン１８に接続する。【選択図】図１
2008220974.tif 000002
【特許請求の範囲】
【請求項１】
所定のケース体（１０）の内部に放電手段（１２）を備え、該放電手段（１２）から発生されるイオンをケース体（１０）の外部に放出可能とする携帯式のイオン発生器具において、
前記放電手段（１２）は、
マイナス極性の高電圧が印加されてマイナスイオンを生成可能とする放電電極（１６）と、該放電電極（１６）の近傍にあって前記ケース体（１０）の内部におけるアースライン（１８）に接続された対向電極（２０）とをケース体（１０）の内部に備える一方、
該ケース体（１０）の外周面に露出させて補助電極（２２）を配設するとともに、該補助電極（２２）を前記ケース体（１０）の内部のアースライン（１８）に接続したことを特徴とする携帯式イオン発生器具。
【請求項２】
前記ケース体（１０）は、イオン放出口（２４）を備えた本体ケース（２６）と、該本体ケース（２６）から伸びるハンドル（２８）とを備え、
該ハンドル（２８）上に、前記補助電極（２２）が配設されている請求項１記載のイオン発生器具。
【請求項３】
前記ハンドル（２８）上に備えた補助電極（２２）は、導電性ゴムで形成されている請求項２記載のイオン発生器具。
【請求項４】
前記ケース体（１０）は、所定の植毛がされたブラシ面（１３２）を下面側に設けた本体ケース（２６）と、該本体ケース（２６）側面から伸びるハンドル（２８）とを備え、
前記イオン放出口（２４）と前記補助電極（２２）とを、前記ブラシ面（１３２）上に設けたことを特徴とする請求項１記載のイオン発生器具。
【請求項５】
前記ブラシ面（１３２）には、一部または全部のブラシ毛（１３４）の基端が導電性部材で固定されており、
該導電性部材を前記補助電極（２２）として使用することを特徴とする請求項４記載のイオン発生器具。
【請求項６】
前記ブラシ面（１３２）上には、前記イオン放出口（２４）が１または複数配設される一方、
該ブラシ面（１３２）における周縁位置の一部または全部に、帯状の補助電極（２２）を備えたことを特徴とする請求項４記載のイオン発生器具。
【請求項７】
前記帯状の補助電極（２２）は、前記ハンドル（２８）が伸びる軸方向で且つ前記イオン放出口（２４）の開口位置に対向させて配設される請求項６記載のイオン発生器具。
【請求項８】
前記帯状の補助電極（２２）は、前記イオン放出口（２４）における配設長さと略同一あるいはそれ以上の長さを有する請求項７記載のイオン発生器具。
【請求項９】
前記帯状の補助電極（２２）は、前記イオン放出口（２４）を挟んで幅方向の両側に配設される請求項８記載のイオン発生器具。
【請求項１０】
前記ケース体（１０）は、その下面側に加熱面（１５２）とイオン放出口（２４）とを配設した本体ケース（２６）と、該本体ケース（２６）側面から伸びるハンドル（２８）とを備え、
前記加熱面（１５２）を１対の熱板からなる挟持式とするとともに、少なくとも一方の熱板を導電部材で形成し、該導電部材で形成された熱板を前記補助電極（２２）として使用することを特徴とする請求項１記載のイオン発生器具。
【請求項１１】
前記イオン放出口（２４）を、前記加熱面（１５２）に接近し且つその吹き出し方向を加熱面（１５２）から離れる方向に設定したことを特徴とする請求項１０記載のイオン発生器具。
【請求項１２】
前記補助電極（２２）とイオン放出口（２４）の間に、該イオン放出口（２４）から吹き出されたイオンが直接的に補助電極（２２）に接触することを阻止する隔離用リブ（１５４）を備えたことを特徴とする請求項１０記載のイオン発生器具。
【請求項１３】
前記加熱面（１５２）を前記ハンドル（２８）が伸びる軸方向に帯状に構成するとともに、該加熱面（１５２）を挟んで幅方向両側にイオン放出口（２４）を備えたことを特徴とする請求項１０記載のイオン発生器具。
【請求項１４】
前記ケース体（１０）は、その構成に必要な導電性部材の少なくとも一部が外部に露出する構造を有し、
該導電性部材を前記補助電極（２２）として利用することを特徴とする請求項１記載のイオン発生器具。
【請求項１５】
前記放電手段（１２）は、直流または脈流電圧を断続することにより低電圧のパルス電圧を昇圧トランス（７６）の入力側に流し、該昇圧トランス（７６）の出力側から高電圧のパルス電圧を取り出すとともに、該高電圧のパルス電圧を積分することによって、マイナス極性の高電圧を発生する請求項１記載のイオン発生器具。
【請求項１６】
前記放電手段（１２）には更にスイッチング手段（１５）を備え、該スイッチング手段（１５）の切換操作と連動して、放電手段（１２）の駆動時期と補助電極（２２）の有効時期とを規制可能としたことを特徴とする請求項１記載のイオン発生器具。
【請求項１７】
前記ケース体（１０）の内部には更に送風手段（３０）を備え、前記放電手段（１２）により発生されたマイナスイオンは、前記送風手段（３０）によって強制的にケース体（１０）の外部に放出される請求項１記載のイオン発生器具。 
【発明の詳細な説明】
【技術分野】
【０００１】
この発明は、ケース内部にマイナスイオンの発生手段を備え、人体に対して至近距離からイオンを吹き付けることを可能とした携帯式のイオン発生器具に関する。
【背景技術】
【０００２】
従来、ドライヤ・ブラシ・アイロンあるいはブロッサなど、主として毛髪を処理することを目的とした携帯式の美容器具に放電手段を内蔵し、毛髪の処理中に並行してマイナスイオンを吹き付けることにより、毛髪の一本一本に対する水分補給が効率よく行えることが知られている。
【発明の開示】
【発明が解決しようとする課題】
【０００３】
かかる毛髪に対する水分補給は、マイナス極性の高電圧が尖端状の放電電極に印加されてコロナ放電し、この放電によってマイナスに帯電した酸素が空気中の微小な水分と結合してマイナスイオンが形成され、乾燥してプラスに帯電した髪にマイナスイオンが引き寄せられて中和する際、マイナスイオンを構成する水分子を直接的に各毛髪へ付着させることにより、髪に対する水分の供給が行われるものと考えられている。
【０００４】
この様なマイナスイオンの効果が知られる様になった結果、各種の携帯式の美容機器内にもマイナスイオンの発生手段が組み込まれるようになってきたが、この種の器具は小型軽量化が求められるとともに、電池駆動をも視野にいれた製品作りが求められる結果、より効率のよいイオン発生手段の開発が要望されている。
【０００５】
かかる要望に対して本発明者等は研究を行った結果、従来の対向電極と並列して補助電極を設け、その補助電極をケースの外周面上に露出して配設することにより、対向電極の面積が実質的に増大され、マイナスイオンを効率よく発生できることを知見した。
【０００６】
本発明はかかる知見に基づいてなされたものであって、ケースの周面位置に露出させてケース内部のアースラインと同電位の補助電極を備えることにより、マイナスイオンの生成が効率よく行えるイオン発生器具を提供することを目的とする。
【０００７】
本発明は更に、ケースを本体ケースとハンドルとから構成し、補助電極をハンドル部分に設けることにより、器具の使用中における補助電極と人体との接触が確実に維持されるイオン発生器具を提供することを目的とする。
【０００８】
更にイオン発生器具をヘアブラシ形状とし、そのブラシ面上にイオンの放出口と補助電極とを同時に備えることにより、イオン処理時に過剰となったマイナスイオンが自動的に除去されるイオン発生器具を提供することを目的とする。
【０００９】
また、アイロン形状のイオン発生器具にあっては、加熱面における長手方向の両側にイオンの放出口を設けることにより、加熱面による毛髪の癖付けの前後におけるマイナスイオンの水分供給効果が、補助電極による過剰イオンの除去作用と相俟って有効に発揮されるイオン発生器具を提供することを目的とする。
【００１０】
更にその際、イオン放出口をケースの外側に向けて構成するか、リブを設けることにより、イオン流と補助電極の直接的な接触を未然に防止し、必要以上にイオンの除去が行われない様にすることが可能なイオン発生器具を提供することを目的とする。
【００１１】
本発明は更にまた、ケース、機器の組み立て時に使用することが必須であった金属製のネジや結合用の金具、ブラシ形状であってはブラシ毛の基台、あるいはイオン発生器具をヘアアイロン形状とした場合にあってはその加熱面を補助電極としてそのまま利用することにより、別に補助電極を設けることが不要となり、部品点数の増加が未然に防止できるイオン発生器具を提供することを目的とする。
【課題を解決するための手段】
【００１２】
本発明にかかる携帯式のイオン発生器具１４は、図１にその基本的な構成を概略的に示す如く、所定のケース体１０の内部に放電手段１２を備え、その放電手段１２から発生されるイオンをイオン放出口２４からケース体１０の外部に放出可能とするものである。
【００１３】
ここで放電手段１２は、図５に例示する如く、マイナス極性の高電圧が印加されてマイナスイオン１１２を発生可能とする例えば針形状の放電電極１６と、その放電電極１６の近傍にあってケース体１０の内部におけるアースライン１８に接続された例えばリング形状の対向電極２０とをケース体１０の内部に備える。一方、ケース体１０の外周面に露出させて補助電極２２を配設するとともに、その補助電極２２を、ケース体１０の内部に設けたアースライン１８に接続したことを特徴とする。
【００１４】
ケース体１０は、図１や図２の様に、イオン放出口２４を備えた本体ケース２６とその本体ケース２６から伸びるハンドル２８とを備え、ハンドル２８上に補助電極２２を配設することにより、ハンドル２８を握った際に人体と補助電極２２とが接触される様に構成することができる。
【００１５】
なお、ハンドル２８の全体あるいは一部を導電性ゴムで作成し、その導電性ゴムの部分を補助電極２２として使用することにより、部品点数の増加を防止しながら、金属製の場合における握った際の冷たさに起因する不快感を軽減し、滑り止めとしても利用できる。
【００１６】
またケース体１０は、図８の様に、ブラシ毛１３４により所定の植毛がされたブラシ面１３２を下面側に設けた本体ケース２６と、その本体ケース２６の側面から伸びるハンドル２８とを備えたブラシ形状に構成し、イオン放出口２４と補助電極２２とをブラシ面１３２上に設けることにより、毛髪１５０に帯電した電子を直接的に中和させることも可能である。
【００１７】
そして、補助電極２２として個別の電極を設ける他に、一部または全部のブラシ毛１３４における基端を導電性部材で固定してブラシ面１３２を構成し、その導電性部材を補助電極２２として使用することができる。
【００１８】
一方、ブラシ面１３２上にイオンの放出口２４を１または複数配設し、ブラシ面１３２における周縁位置の一部または全部に帯状の補助電極２２を備える。そして帯状の補助電極２２は、ハンドル２８が伸びる軸方向で且つ前記イオン放出口２４の開口位置に対向させて配設するが、イオン放出口２４における配設範囲と略同一あるいはそれ以上の長さを有するとともに、イオン放出口２４を挟んで幅方向両側に配設されることが好ましい。
【００１９】
更にまたケース体１０を、図１１に例示する如く、その下面側に加熱面とイオン放出口２４とを同時に配設した本体ケース２６と、その本体ケース２６の側面から伸びるハンドル２８とを備えることにより、アイロン形式とすることもできる。この場合にあっては、加熱面を上下１対の熱板からなる挟持式とするとともに、少なくとも一方の熱板を金属の様な導電部材で形成し、その導電部材で形成された熱板を補助電極２２として使用している。
【００２０】
更に、イオン放出口２４を加熱面１５２に接近させ且つその吹き出し方向を加熱面１５２から離れる方向に設定することも可能であるし、図１２の様に、補助電極２２とイオン放出口２４の間に、イオン放出口２４から吹き出されたイオンが直接的に補助電極２２と接触することを阻止する隔離用のリブ１５４を備えることもできる。
【００２１】
この場合、加熱面１５２をハンドル２８が伸びる軸方向に帯状に構成するとともに、加熱面１５２を挟んで幅方向両側にイオン放出口２４を備えることが好ましい。
【００２２】
なおケース体１０は、それ自体を金属の様な導電性部材で形成したり、あるいは内部の回路部品をケース体１０に固定する金属製のネジやケースの結合用部品など、その構成に必要な導電性部材の少なくとも一部が外部に露出する構造を有する場合にあっては、その導電性部材を補助電極２２として利用することもできる。
【００２３】
ここで放電手段１２は、図４に示す如く、ケース体１０に内蔵した電池１３６から供給される直流電圧、あるいは商用交流電圧Ｖａを整流して形成した脈流電圧Ｖｂを断続することにより低電圧のパルス電圧Ｖｃを昇圧トランス７６の入力側に流し、昇圧トランス７６の出力側から高電圧のパルス電圧を取り出すとともに、その高電圧のパルス電圧を積分することによって、マイナス極性の高電圧Ｖｄを放電電極１６に対して常時に印加可能とすることにより、放電は連続的に行われる。
【００２４】
なお、放電手段１２で発生されたマイナスイオン１１２は、自然対流によってケース体１０の外部に放出することも可能であるが、ケース体１０の内部に更に送風手段３０を備え、マイナスイオン１１２を強制的にケース体１０の外部に放出することも可能である。
【００２５】
また放電手段１２には更にスイッチング手段１５を備え、そのスイッチング手段１５の切換操作と連動して、放電手段１２の駆動時期と補助電極２２の有効時期とを規制可能とすることもできる。
【発明の効果】
【００２６】
本発明は上記の如く、ケース体１０の周面位置に露出させて、ケース体１０の内部のアースライン１８と略同電位の補助電極２２を備えることにより、実質的に対向電極２０の面積が増して電子の補給面積が増大するので、マイナスイオン１１２の生成が効率よく行える。
【００２７】
更に、ケース体１０を本体ケース２６とハンドル２８とから構成し、補助電極２２をハンドル２８部分に設けることによって、器具の使用中における補助電極２２と人体との接触が確実に維持されて人体が補助電極２２の一部となり、更に対向電極２０の面積が増えることになるので、より一層マイナスイオンの生成を加速あるいは増大できる。
【００２８】
また、ハンドル２８に設けた補助電極２２を導電性ゴムで形成することにより、金属板であれば握った際に冷たく不快に感じることがあったがそれを防止できるとともに、滑り止めにもなる。
【００２９】
更にまた、イオン発生器具を図８の様なヘアブラシ形状とし、そのブラシ面１３２上にイオンの放出口２４と補助電極２２とを同時に備えることにより、イオン処理時に過剰となったマイナスイオンが自動的に除去されるので、次のブラッシング時のマイナスイオンの送給を効果的に行え、マイナスイオンの効果が有効に発揮できる。
【００３０】
更にまた、ケース体１０、機器の組み立て時に使用することが必須であった金属製のネジや結合用の金具、ブラシ形状であってはブラシ毛の基台、あるいはイオン発生器具をヘアアイロン形状とした場合にあってはその加熱面１５２を補助電極２２としてそのまま利用することにより、別に補助電極２２を設けることが不要となり、部品点数の増加が未然に防止できる。
【００３１】
また、アイロン形状のイオン発生器具にあっては、加熱面１５２における長手方向の両側にイオンの放出口２４を設けることにより、加熱面１５２による毛髪の癖付けの前後におけるマイナスイオンの水分供給効果が、補助電極２２による過剰イオンの除去作用と相俟って有効に発揮される。
【００３２】
更にその際、イオン放出口２４をケース体１０の外側に向けて構成するか、リブ１５４を設けることにより、イオン流１２４と補助電極２２の直接的な接触を未然に防止し、必要以上にイオンの除去が行われない様にすることができる。
【００３３】
また、低電圧のパルス電圧Ｖｃを昇圧トランス７６の入力側に流し、その昇圧トランス７６の出力側から高電圧のパルス電圧を取り出すとともに、出力された高電圧のパルス電圧を積分することによってマイナス極性の高電圧Ｖｄを発生することにより、電源が商用交流電圧Ｖａか電池１３６かに拘らず、略同一の構成で効率よく連続した高電圧を形成できる。
【００３４】
また放電手段１２にスイッチング手段１５を備え、そのスイッチング手段１５の切換操作と連動して、放電手段１２の駆動時期と補助電極２２の有効時期とを規制可能とすることにより、マイナスイオンの発生量が手動で３段階に変更できる。更に送風手段３０を同時に備え、発生されたマイナスイオンを強制的に排出される様に構成することにより、マイナスイオンは消滅する前に的確に人体に供給されて有効に利用される。
【発明を実施するための最良の形態】
【００３５】
以下、本発明にかかる携帯式のイオン発生器具を図２〜図５に示すヘアドライヤ３２に実施した一例に基づいて更に詳細に説明する。ここでヘアドライヤ３２は、図２にその全体的な構成を概略的に示す如く、横長筒状の本体ケース２６と、その本体ケース２６における基端側に揺動自在に取り付けたハンドル２８とを備える。
【００３６】
本体ケース２６内には、外部から供給される商用交流電圧Ｖａを駆動源とし、コイル状のヒータ３６を備えた発熱部３８を先端側に、その発熱部３８に対して送風を可能とするモータ４０とファン４２からなる送風部４４を基端側に各々備えるとともに、発熱部３８のヒータ３６内に放電部４６を備えてイオン生成させる。更に、ハンドル２８側に備えた図３に示す電気回路と切換スイッチ４８の切り換え操作と連動して、送風とイオン生成の時期を規制するとともに、発熱部３８に供給する電力の大小に対応して、送風時の風温を複数段階に変更可能としている。
【００３７】
ここで送風部４４は、ダイオードブリッジ５０で商用交流電圧Ｖａを全波整流し、この電圧で駆動される直流モータ４０でファン４２を回転させるものであって、切換スイッチ４８の第１段階のスライド操作に対応して第１接点５２がオンし、発熱部３８における加熱を伴わない常温による送風が開始される。
【００３８】
次に発熱部３８は、切換スイッチ４８の第２段階のスライド操作で第１接点５２に加えて第２接点５４もオンし、ダイオード５６を介して半波整流された電圧がヒータ３６に印加される結果、ヒータ３６は定格値の半分の電力で駆動されて、中温による送風が行われる。切換スイッチ４８を更に第３段階にまでスライド操作すると、ダイオード５６と並列に繋いだ第３接点５８もオンし、第１〜第３接点５２・５４・５８を介して商用交流電圧Ｖａがそのままヒータ３６に印加される結果、高温による送風が行われる。なお、上記した送風部４４と発熱部３８の構成は従来と略同様なので、その詳細な説明は省略する。また、他の周知の構成と取り替えて実施できることも勿論である。
【００３９】
本発明は、図４および図５において具体的に例示する放電部４６の構成にその特徴を有するものであって、切換スイッチ４８における第１接点５２のオンと同時に、図６（ａ）に示す商用交流電圧Ｖａが低圧整流回路６０に印加されて動作を開始する。
【００４０】
低圧整流回路６０は、入力された商用交流電圧Ｖａをダイオード６２で半波整流したあと抵抗６４とコンデンサ６６で積分することにより、図６（ｂ）の様にピーク値が１００Ｖ前後で変動する脈流電圧Ｖｂが形成されるので、この脈流電圧Ｖｂを、表示回路７０とパルス電圧発生回路７２の駆動電圧とする。
【００４１】
表示回路７０は、本体ケース２６あるいはハンドル２８上に発光ダイオード７４を備え、低圧整流回路６０から出力される電圧Ｖｂで発光ダイオード７４を点灯することにより、放電部４６の動作中を表示する。
【００４２】
パルス電圧発生回路７２は、昇圧トランス７６の一次コイル７８と直列にコンデンサ８０を接続するとともに、その直列接続されたものと並列にサイダック８２を接続した構成をとる。サイダック８２は印加電圧が低い間はオフしているが、入力される脈流電圧Ｖｂの値が例えば８０Ｖを超えるとオンする規格のものであって、サイダック８２のオフ期間中に脈流電圧Ｖｂによりコンデンサ８０を充電しておき、その充電電流がサイダック８２のオン時にサイダック８２および一次コイル７８を介して急激に放電するとともにサイダック８２をオフさせる。この動作を、脈流電圧Ｖｂが８０Ｖ以下に低下してサイダック８２が常時にオフする時点まで周期的に繰り返すことにより、図６（ｃ）の様な間欠的に発生するパルス電圧Ｖｃが、昇圧トランス７６の一次コイル７８に発生される。
【００４３】
このパルス電圧Ｖｃは、昇圧トランス７６の一次コイル７８と二次コイル８６間の巻線比に対応して昇圧されたあと、二次コイル８６と直列に接続されるダイオード８８とコンデンサ９０からなる高圧整流回路９２に印加される。高圧整流回路９２では、二次コイル８６から間欠的に出力される高電圧のパルス電圧を積分することにより、図６（ｄ）の様に２〜４ｋＶの範囲で変動するマイナス極性の高電圧Ｖｄが形成され、その電圧Ｖｄが電極部９４に印加される。なお、高電圧Ｖｄを形成するための具体的な回路構成は上記に限定されるものではなく、従来から使用されている周知の昇圧回路を使用するなど、適宜変更して実施できることは勿論である。
【００４４】
電極部９４は図５の様にユニット化され、図２に示す本体ケース２６における熱風の吹出口９６の中央位置に配置した導風筒９８内に設置した例を示すが、マイナスイオン１１２の生成および本体ケース２６の外部への放出が可能であれば、例えばイオン放出専用の通風路を本体ケース２６の周面に設け、その中に電極部９４を配置するなど、その電極構造、配設数あるいは配設位置は限定されるものではない。
【００４５】
本実施例における電極部９４は、先端が尖った針状の放電電極１６を中心とし、その周囲に円筒状の対向電極２０を配設するとともに、放電電極１６と対向電極２０との間を絶縁部材１００で隔離している。絶縁部材１００は、放電電極１６の先端部分を残して対向電極２０の内側を充填する絶縁部１０２と、放電電極１６の先端部分を前方に向けて包囲する円筒状の隔離部１０４とから構成され、放電電極１６と対向電極２０間に、コロナ放電はするが火花放電等の他の放電を阻止するだけの十分な距離を確保する。
【００４６】
更に、高圧整流回路９２のコンデンサ９０におけるマイナス極と放電電極１６とを例えば数ＭΩ程度の高抵抗１０６を介して導線１０８で接続する一方、コンデンサ９０のプラス極と対向電極２０とを導線１１０で接続する。かかる構成により、放電電極１６に対してマイナス極性の高電圧Ｖｄを印加し、放電電極１６の先端部分のみに限定してコロナ放電を発生させ、隔離部１０４の内部におけるマイナスイオン１１２の生成を可能とする。
【００４７】
導風筒９８は、前記した隔離部１０４の前方にあって、それより稍大きい直径の円筒状の第１筒部１１４と、その第１筒部１１４の基端側から末広がり状態で電極部９４の周囲を包囲して伸びる円錐台形状の第２筒部１１６とから構成される。そして、導風筒９８と電極部９４間は支持腕１１８で両者間に所定の間隙１２２を維持することにより、空気流入口９９を通って送風部４４から送られる空気流１２０がその間隙１２２を通過して第１筒部１１４の先端部にあるイオン放出口２４から吹き出される際、隔離部１０４内で生成されたマイナスイオン１１２を誘引し、空気流１２０とともにイオン流１２４として本体ケース２６の外部に放出させるのである。
【００４８】
本発明にあっては更に、対向電極２０と電気回路側のアースライン１８とを例えば１〜数ＭΩ程度の高抵抗１２６を介して接続することにより、対向電極２０の電位を略接地電位に保持する。
【００４９】
一方、上記したハンドル２８あるいは本体ケース２６上であって、手の平で握った際に触れる部分に露出させて、金属板あるいは導電ゴム等の導電部材からなる補助電極２２を１乃至複数箇所に配設するとともに、その補助電極２２と本体ケース２６内の対向電極２０とを、例えば数ＭΩ程度の高抵抗１２８を介して接続して略同電位とする。
【００５０】
なお、前記した補助電極２２として使用する導電性部材としては、例えば天然ゴムまたは合成ゴムに、導電性物質（ファーネスカーボンやアセチレンブラック等の導電性カーボン、導電性酸化チタン、導電性酸化亜鉛など）を充填して形成した導電性ゴムを使用することができる。
【００５１】
この様な導電性ゴムを使用することにより、金属板であれば握った際に冷たく不快に感じることがあったがそれを防止できるとともに、滑り止めにもなって都合がよい。具体的には、軟化剤や老化防止剤等の電子部品を汚染、腐食させる各種添加剤を必要せず、耐油性、耐熱性、耐オゾン性に優れる導電性シリコーンゴムを使用する。導電性ゴムの範疇としては、常温付近でゴム状弾性を示す高分子材料であるエラストマー樹脂に導電性物質を充填した導電性エラストマーも含むものとする。また、滑り止めの効果はないが、握った際の冷たさのみを防止するならば、各種導電性樹脂を補助電極２２として使用できる。なお、導電性物質の充填量を少なく調整すれば、抵抗値を大きくできるので、高抵抗１２８は省略することができる。
【００５２】
以上の様な補助電極２２を備えることにより、実質的に対向電極２０の面積が増し、放電時における電子の補給面積が増大し、マイナスイオンの生成が効率よく行える。更に補助電極２２を人体に接触させると、本体ケース２６内のアースライン１８と対向電極２０は補助電極２２を介して人体の一部に接続され、人体に帯電した電子をアースライン１８側に放電し、人体がマイナス電位に帯電するのを未然に防止しながら、放電電極１６の近傍における電界強度を十分大きく維持し、マイナスイオン１１２の生成量を更に増加させることを可能とするのである。
【００５３】
例えば図７に示す如く、補助電極２２を人体に接触させなかった０〜１分半の間におけるマイナスイオン１１２の発生量は、最高でも１ｃｃ当り２５万個程度であり、時間の経過とともにその量も減少傾向にあったものが、補助電極２２に人体を接触させた時点ａから約２倍の５０万個にイオン量は増加するとともに、その量は時間経過に拘らず、略一定に維持されることが確かめられた。
【００５４】
なお補助電極２２は、前記した様にそれ専用として備える他に、ハンドル２８や本体ケース２６の一部または全部を金属板の様な導電材料で形成してそれを利用することも可能であるし、ケースを分割形状としてその組み立て用として備えた金属製ビスや金具をそのまま或いは外部から接触可能な大きさや形状に変形して利用することにより、部品点数の増加を防止することができる。
【００５５】
また、使用中は必ず人体に接触する様に補助電極２２の形状および配設位置を設定することも可能であるが、例えば指先で補助電極２２に触れるか触れないかを選択可能とすることにより、マイナスイオン１１２の生成量を手動で変更できる様にしてもよい。
【００５６】
更に、送風部４４のオンオフ用として備えた切換スイッチ４８で放電部４６も同時にオンオフ規制させず、放電部４６の動作を規制させる専用のスイッチを設けることもできる。その場合、使用中は補助電極２２へ常時に人体が接触可能とする一方、別に設けたイオン発生専用のスイッチの切換操作と連動して、放電部４６に対する通電を停止したマイナスイオン１１２の発生をオフした状態から、放電部４６が動作しているが補助電極２２がアースライン１８に接続されていない通常のイオン発生状態へ、更に、補助電極２２をアースライン１８に接続することによって補助電極２２を使用した強力なイオン発生へと、スイッチの切換動作と連動して３段階にイオン発生量を変更させることも可能である。
【００５７】
次に、図８は、本発明をヘアブラシ１３０に実施した一例を示すものであって、下面側にブラシ面１３２を備えた本体ケース２６の基端側中央から、軸方向に直線状にハンドル２８を伸ばすとともに、本体ケース２６内に放電部４６ａを収納している。なお、上記したヘアドライヤ３２における構成と実質的に同一の機能を果たす部材については、同一の番号を付すことにより、その詳細な説明を省略している。
【００５８】
ブラシ面１３２は、ハンドル２８の伸び方向に長い楕円形あるいは長方形であって、１または複数のイオン放出口２４を設けるとともに、そのイオン放出口２４を除いた略全面に亘ってブラシ毛１３４が植設されている。
【００５９】
本体ケース２６内に収納する放電部４６ａと電極部９４ａの構成は、上記したヘアドライヤ３２に適用した図３〜図５に例示するものから発熱部３８を除いた構成と同一あるいは類似の構成を採用することも可能である。すなわち、商用交流電圧Ｖａを利用して送風部４４を駆動し、空気流１２０によって強制的にマイナスイオン１１２をイオン放出口２４から吹き出させるとともに、ハンドル２８の部分に補助電極２２を設ける構成である。
【００６０】
しかしながら、本実施例にあっては、例えば３Ｖ程度の出力電圧を有する乾電池あるいは二次電池等の各種電池１３６を本体ケース２６やハンドル２８に内蔵し、その電池１３６からの出力電圧を図示しないインバータ回路を利用して１００Ｖ程度の交流電圧に変換し、この電圧を図４に示すパルス電圧発生回路７２の入力電圧および表示回路７０の駆動電圧とすることにより、商用交流電圧Ｖａを使用することなく電池１３６のみで駆動できる様にしている。また図３に示す送風部４４を備えることなく、放電時に発生するイオン風あるいは整髪に伴う自然対流を利用してマイナスイオン１１２を髪に供給する。
【００６１】
更に本実施例にあっては、補助電極２２をハンドル２８や本体ケース２６上に備えるのに加えて、あるいはそれらの上に備えるのに代えてブラシ面１３２上に設けたことを特徴とする。ここで、ブラシ面１３２上に設ける補助電極２２ａ・２２ｂは、ブラシ面１３２における幅方向の両側縁に沿って、細帯状のものを２本形成している。更に補助電極２２は、ブラシ面１３２のみに限定して配置することも可能であるが、図示例では、本体ケース２６の両側面２７・２７にまで回り込んで、断面が略Ｌ字形状に構成している。
【００６２】
かかる構成により、ハンドル２８上に設けた切換スイッチ４８ａのオン操作をすると、スイッチ接点５２ａがオンして放電部４６ａを駆動すると同時に、表示回路７０の発光ダイオード７４に通電し、放電部４６ａの駆動中を表示する。
【００６３】
この様に放電部４６ａが駆動され、イオン放出口２４からマイナスイオンが吹き出されている状態で、ブラシ毛１３４を図８（ｃ）の様に毛髪１５０中に差し込んで梳き動作を開始する。すると、先ず前端縁に備えた第１番目の補助電極２２ａが髪１５０に帯電している不要な電子を放電する。この状態で、ブラシ面１３２の中央から放出されるイオン流１２４を毛髪１５０に作用させながらブラシ毛１３４でブラッシングを行った後、第２番目の補助電極２２ｂで過剰な電子を放電することにより、毛髪１５０の帯電状態を中和して元に戻す。ここで、補助電極２２を本体ケース２６の側面２７にまで延長することにより、カールしながらブラッシングする際でも、補助電極２２ａ・２２ｂを髪１５０に接触させ、負の帯電状態を有効に中和できるのである。
【００６４】
なお、補助電極２２は、ブラシ面１３２の周縁に沿って全周に亘って設けることも可能であるし、逆に一方の側縁のみに設けることもできる。しかしながら、イオン放出口２４を分散して複数設けたり、その口径を軸方向に大きい楕円形状とした場合にあっては、そのイオン放出口２４を幅方向に挟み、イオン放出口２４の長手方向長さと補助電極２２の長さを略同等あるいはそれ以上の長さに設定することが好ましい。かかる構成により、イオン放出口２４より吹き出されるマイナスイオンによる毛髪の帯電が確実に中和される。
【００６５】
また、補助電極２２を本体ケース２６とは別体の金属材で構成するほかに、ブラシ毛１３４の基端を固定するブラシ面１３２を導電性ゴムの様な導電部材で構成し、その導電部材を補助電極２２として利用することもできる。この場合、導電部材をブラシ面１３２の全面に設けることも可能であるが、マイナスイオン１１２の吹き付け効果を高めるため、前記した様な周縁位置に限定して設けることが好ましい。
【００６６】
更に、ブラシ毛１３４を導電性樹脂或いは導電性ゴムで構成し、補助電極２２とすることができる。その場合、ブラシ毛１３４が毛髪１５０の深部まで到達するので、マイナスイオンによる毛髪１５０の帯電状態を効果的に中和でき、次のブラッシング時におけるマイナスイオンの供給が効果的に行える。
【００６７】
図９〜図１１は更に、本発明をヘアアイロン１３８に実施した一例を示すものであって、本実施例にあっては前記したヘアブラシ１３０におけるブラシ面１３２に代えて、本体ケース２６の下面側にアイロン部１４０を備えている。なお、上記したヘアドライヤ３２およびヘアブラシ１３０における構成と実質的に同一の機能を果たす部材については、同一の番号を付すことにより、その詳細な説明を省略している。
【００６８】
アイロン部１４０は、本体ケース下面１４２と、ハンドル２８の基端位置に設けた回転軸１４３に揺動自在に取り付けた挟持腕１４４の上面１４６とが一対となって構成されている。この挟持腕１４４はコイルばね等のバネ体１４５で常時は開き付勢されており、図１１に例示する如く、本体ケース下面１４２と挟持腕１４４の上面１４６間でバネ体１４５に抗して髪１５０を挟むことにより、幅方向両側に備えた整髪コーム１４８で毛髪１５０を梳きながら、中央部の長手方向に備えた長方形状の加熱面１５２・１５２により髪１５０を加熱およびプレスすることを可能とする。
【００６９】
なお、加熱面１５２は金属板の様な熱板で形成するとともに、その熱板に対する加熱は、本実施例にあってはＰＴＣ等の公知の発熱体を使用したヒータ３６ａを、例えばシリコーンゴムの様な絶縁部材を介して電気的に絶縁した状態で加熱面１５２の裏面側に接して内蔵することにより行っているが、熱板それ自体をヒータと一体に構成するなど、その構成は限定されるものではない。また、ヒータ３６ａを上下の加熱面１５２・１５２の両方に設ける必要はなく、一方の加熱面のみに設けて発熱させ、他方の加熱面と一対となって髪を加熱およびプレスさせる様に構成することもできる。その場合にあっても、また、アイロン部１４０の全体的な構成は従来と略同様であるから、詳細な説明は省略する。
【００７０】
本発明にあっては、更に、放電部４６を本体ケース２６内に備えてマイナスイオンを処理中の髪１５０に吹き付けることを可能とする。放電部４６の回路構成は、図４と同一または類似のものが使用される。
【００７１】
放電部４６に備える電極部９４ｂは、本体ケース下面１４２の周縁位置で、整髪コーム１４８の更に外側に並行して１組ずつ配設されるものであって、所定間隔で１または複数（本実施例にあっては３つ）の放電電極１６を設ける一方、各放電電極１６から稍離間してリング状の対向電極２０を備えることにより、針状の放電電極１６における先端近傍でコロナ放電をさせ、マイナスイオンを略帯状に発生させることを可能としている。
【００７２】
なお、電極部９４ｂの構成は、図５に示すものなど、マイナスイオンを発生可能な構成であれば、その電極形状が限定されないことは勿論である。また電極部９４ｂの数も、整髪コーム１４８の外側に複数個ずつ設ける必要はなく、両側に１つずつ設けることも可能であるし、少なくとも例えば中央に１つあれば足りる。
【００７３】
ここでイオン放出口２４は、前記した電極部９４ｂの配設位置に対応した細幅のスリット形状であって、更に開口方向を斜め外側に傾斜させることにより、放電電極１６の近傍で発生したマイナスイオンが、ファン４２による空気流１２０で本体ケース２６から離れる方向にイオン流１２４が吹き出される様に構成する。
【００７４】
更に、接近対向する加熱面１５２・１５２を構成する熱板の少なくとも一方を金属板の様な導電部材で構成するとともに、その導電部材で形成した加熱面１５２を補助電極２２として利用している。なお補助電極２２は、加熱面１５２を電極として利用するのに代えて或いは加えて、別体の電極を加熱面１５２上あるいはその近傍に備えることも可能であるし、ヘアドライヤ３２の場合と同様に、ハンドル２８や本体ケース２６上に補助電極２２を設けてもよい。
【００７５】
また、上下の加熱面１５２・１５２を金属製とした場合にあっては、更にその全面を導電性ゴム或いは導電性樹脂で被覆するよう構成し、これを熱板と補助電極２２として利用することができる。これによって、マイナスイオンによる毛髪の帯電状態を中和できるとともに、加熱面１５２に触れた際に熱く感じるのを軽減できる。
【００７６】
かかる構成により、スイッチ４８をオンすることによって、ファン４２を回転駆動する送風部４４のモータ４０、加熱面１５２を熱するヒータ３６ａ、放電部４６、及び放電部４６の駆動中を表示する発光ダイオード７４に対して同時に駆動電力が供給され、動作を開始する。このとき、加熱面１５２の温度が例えば１４０℃前後を維持するように、ヒータ３６ａに対する供給電力は自動制御される。
【００７７】
そして、前記したアイロン部１４０で毛髪１５０を挟んだまま図１１における矢印方向にスライドさせる。すると、スライド方向の前縁側にあるイオン放出口２４ａから吹き出されたマイナスイオンが毛髪１５０に付着する結果、毛髪１５０に水分を補給して潤いを与えて柔らかくする。
【００７８】
毛髪１５０におけるこの水分が補給された部分は、ヘアアイロン１３８のスライド移行に伴って上下の加熱面１５２・１５２の間を通ることにより、加熱と同時に圧縮され、加熱面１５２が平面か波型か等の形状の違いに対応した所定の癖付けが行われると同時に、補助電極２２としての作用によって帯電状態が中和される。更にこの中和された毛髪１５０は、後縁側のイオン放出口２４ｂの下を通過することにより、再度マイナスイオン１１２が吹き付けられ、その結果、上下の加熱面１５２・１５２間で圧縮乾燥された毛髪１５０に水分を再補給し、潤い状態を取り戻すことを可能とするのである。
【００７９】
その際、図１０において示す通り、１対のイオン放出口２４ａ・２４ｂと加熱面１５２・１５２の軸方向長さを略同一に構成しているので、一方のイオン放出口２４ａによりマイナスイオン（水分）を髪１５０に補給後、その補給部位を確実にプレスできるとともに、補給されて帯電したマイナスイオンを万遍なく除去・中和することができる。このプレス後にあっても、水分は若干残るが不足するので、除去した後に続けてスライド方向後方のイオン放出口２４ｂによって、マイナスイオンが送給されて、髪に潤いを取り戻すことができるのである。
【００８０】
更に、イオン放出口２４が外方向に傾斜して形成されているので、アイロン部１４０の中心にある補助電極２２とイオン放出口２４から吹き出されたイオン流１２４との間で十分な隔離状態が維持され、マイナスイオンが毛髪１５０に到達する前に補助電極２２で捕捉されて消滅することを未然に防止している。同様の効果は、図１２の様に補助電極２２とイオン放出口２４間にリブ１５４を備えて両者を隔離することによっても可能である。
【００８１】
その他、本発明が適用される携帯式のイオン発生器具１４は、上記の様なヘアケアを目的とした製品に限らず、マイナスイオン１１２を人体に対して直接的あるいは間接的に吹き付けて使用するものであれば、略同様に実施できるものであって限定されることはない。例えば、図１２の様に電極部９４を１組に限定し、そこから発生するマイナスイオンを、空気流１２０と通風路１５６によって複数のイオン流１２４・１２４に分割することも可能である。
【図面の簡単な説明】
【００８２】
【図１】本発明にかかる携帯式イオン発生器具の基本的な構成を概略的に示す説明図である。
【図２】本発明をヘアドライヤに実施した一例を示す中央縦断面図である。
【図３】ヘアドライヤに備える電気回路の全体を示す。
【図４】放電部の一例を示す電気回路図である。
【図５】放電電極の取り付け状態を示す拡大断面図である。
【図６】放電部の動作状態を示す波形図である。
【図７】補助電極を使用する前後におけるイオン発生量の変化を示すグラフである。
【図８】本発明をヘアブラシに実施した一例を示し、（ａ）は平面図を、（ｂ）は（ａ）におけるＡ−Ａ線方向に沿って切断した断面図を、（ｃ）は（ａ）におけるＢ−Ｂ線方向に見た図を各々示す。
【図９】本発明をヘアアイロンに実施した一例を示す側面図である。
【図１０】ヘアアイロンにおける本体ケースの下面側を見た図である。
【図１１】図９におけるＣ−Ｃ線方向に切断した拡大断面図である。
【図１２】図１１に類似する図であって、他の実施例を示す。
【符号の説明】
【００８３】
１０  ケース体
１２  放電手段
１４  イオン発生器具
１５  スイッチング手段
１６  放電電極
１８  アースライン
２０  対向電極
２２  補助電極
２４  イオン放出口
２６  本体ケース
２７  本体ケース側面
２８  ハンドル
３０  送風手段
３２  ヘアドライヤ
３６  ヒータ
３８  発熱部
４０  モータ
４２  ファン
４４  送風部
４６  放電部
４８  切換スイッチ
５２  切換スイッチの第１接点
６０  低圧整流回路
７０  表示回路
７２  パルス電圧発生回路
７４  発光ダイオード
７６  昇圧トランス
７８  一次コイル
８０  パルス電圧発生回路のコンデンサ
８２  サイダック
８６  二次コイル
８８  ダイオード
９０  高圧整流回路のコンデンサ
９２  高圧整流回路
９４  電極部
９８  導風筒
１００  絶縁部材
１０２  絶縁部
１０４  隔離部
１０６  高抵抗
１１２  マイナスイオン
１２０  空気流
１２２  間隙
１２４  イオン流
１２６  高抵抗
１２８  高抵抗
１３０  ヘアブラシ
１３２  ブラシ面
１３４  ブラシ毛
１３６  電池
１３８  ヘアアイロン
１４０  アイロン部
１４２  本体ケースの下面
１４４  挟持腕
１４６  挟持腕の上面
１４８  整髪コーム
１５０  毛髪
１５２  加熱面
１５４  リブ
１５６  通風路
【図１】
2008220974.tif 000003
【図２】
2008220974.tif 000004
【図３】
2008220974.tif 000005
【図４】
2008220974.tif 000006
【図５】
2008220974.tif 000007
【図６】
2008220974.tif 000008
【図７】
2008220974.tif 000009
【図８】
2008220974.tif 000010
【図９】
2008220974.tif 000011
【図１０】
2008220974.tif 000012
【図１１】
2008220974.tif 000013
【図１２】
2008220974.tif 000014
【手続補正書】
【提出日】平成20年4月22日(2008.4.22)
【手続補正１】
【補正対象書類名】特許請求の範囲
【補正対象項目名】全文
【補正方法】変更
【補正の内容】
【特許請求の範囲】
【請求項１】
所定のケース体の内部に放電手段を備え、該放電手段から発生されるイオンを前記ケース体の外部に放出可能となっており、
前記放電手段は、高電圧が印加されてイオンを生成可能とする放電電極と、該放電電極の近傍にあって前記ケース体の内部におけるアースラインに接続された対向電極とを前記ケース体の内部に備える一方、
前記ケース体の外周面に露出させて補助電極を配設するとともに、該補助電極を前記ケース体の内部のアースラインに接続されており、
前記ケース体は、その下面側に、加熱面を有する熱板とイオン放出口とを配設した本体ケースと、該本体ケース側面から伸びるハンドルとを含み、
前記ハンドルの基端位置に揺動自在に取り付けた挟持腕の上面に、加熱面を有する熱板が配設されており、
前記１対の熱板間に毛髪を挟持可能となっており、
少なくとも一方の熱板を導電部材で形成し、該導電部材で形成された熱板を前記補助電極として使用することを特徴とするヘアアイロン。
【請求項２】
前記イオン放出口を、前記加熱面に接近し且つその吹き出し方向を加熱面から離れる方向に設定したことを特徴とする請求項１に記載のヘアアイロン。
【請求項３】
前記補助電極とイオン放出口の間に、該イオン放出口から吹き出されたイオンが直接的に補助電極に接触することを阻止する隔離用リブを備えたことを特徴とする請求項１に記載のヘアアイロン。
【請求項４】
前記加熱面を挟んで幅方向両側にイオン放出口を備えたことを特徴とする請求項１乃至３の何れかに記載のヘアアイロン。
【手続補正２】
【補正対象書類名】明細書
【補正対象項目名】全文
【補正方法】変更
【補正の内容】
【発明の詳細な説明】
【技術分野】
【０００１】
この発明は、ケース内部にマイナスイオンの発生手段を備え、毛髪に対して至近距離からイオンを吹き付けることを可能としたヘアアイロンに関する。
【背景技術】
【０００２】
従来、ドライヤ・ブラシ・アイロンあるいはブロッサなど、主として毛髪を処理することを目的とした携帯式の美容器具に放電手段を内蔵し、毛髪の処理中に並行してマイナスイオンを吹き付けることにより、静電気を効果的に除去できるとともに、毛髪の一本一本に対する水分補給が効率よく行えることが知られている。例えば特許文献１にイオン発生用電極を備えたヘアドライヤが開示されている。
【０００３】
【特許文献１】実公昭５８−１６３２３
【発明の開示】
【発明が解決しようとする課題】
【０００４】
かかる毛髪に対する水分補給は、マイナス極性の高電圧が尖端状の放電電極に印加されてコロナ放電し、この放電によってマイナスに帯電した酸素が空気中の微小な水分と結合してマイナスイオンが形成され、乾燥してプラスに帯電した髪にマイナスイオンが引き寄せられて中和する際、マイナスイオンを構成する水分子を直接的に各毛髪へ付着させることにより、髪に対する水分の供給が行われるものと考えられている。
【０００５】
この様なマイナスイオンの効果が知られる様になった結果、各種の携帯式の美容機器内にもマイナスイオンの発生手段が組み込まれるようになってきたが、この種の器具は小型軽量化が求められるとともに、電池駆動をも視野にいれた製品作りが求められる結果、より効率のよいイオン発生手段の開発が要望されている。
【０００６】
かかる要望に対して本発明者等は研究を行った結果、従来の対向電極と並列して補助電極を設け、その補助電極をケースの外周面上に露出して配設することにより、対向電極の面積が実質的に増大され、マイナスイオンを効率よく発生できることを知見した。
【０００７】
本発明はかかる知見に基づいてなされたものであって、ケースの周面位置に露出させてケース内部のアースラインと同電位の補助電極を備えることにより、マイナスイオンの生成が効率よく行えるヘアアイロンを提供することを目的とする。
【課題を解決するための手段】
【０００８】
本発明にかかるヘアアイロンは、図１にその基本的な構成を概略的に示す如く、所定のケース体の内部に放電手段を備え、その放電手段から発生されるイオンをイオン放出口からケース体の外部に放出可能とするものである。
【０００９】
ここで放電手段は、図５に例示する如く、マイナス極性の高電圧が印加されてマイナスイオンを発生可能とする例えば針形状の放電電極と、その放電電極の近傍にあってケース体の内部におけるアースラインに接続された例えばリング形状の対向電極とをケース体の内部に備える。一方、ケース体の外周面に露出させて補助電極を配設するとともに、その補助電極を、ケース体の内部に設けたアースラインに接続したことを特徴とする。
【００１０】
前記ケース体は、その下面側に、加熱面を有する熱板とイオン放出口とを配設した本体ケースと、該本体ケース側面から伸びるハンドルとを含む。また前記ハンドルの基端位置に揺動自在に取り付けた挟持腕の上面に、加熱面を有する熱板が配設されている。前記１対の熱板間に毛髪を挟持可能となっており、少なくとも一方の熱板を導電部材で形成し、該導電部材で形成された熱板を前記補助電極として使用する。なお、前記加熱面を前記ハンドルが伸びる軸方向に帯状に構成することが好ましい。
【００１１】
また、前記イオン放出口を、前記加熱面に接近し且つその吹き出し方向を加熱面から離れる方向に設定したことを特徴としている。
【００１２】
また、前記補助電極とイオン放出口の間に、該イオン放出口から吹き出されたイオンが直接的に補助電極に接触することを阻止する隔離用リブを備えたことを特徴としている。
【００１３】
また、前記加熱面を挟んで幅方向両側にイオン放出口を備えたことを特徴としている。
【発明の効果】
【００１４】
本発明は、加熱面を構成する熱板を補助電極としてそのまま利用することにより、実質的に対向電極の面積が増して電子の補給面積が増大するので、イオンの生成が効率よく行えるとともに、別に補助電極を設けることが不要となり、部品点数の増加が未然に防止できる。また、その補助電極により過剰に供給されたイオンを除去することができる。
【００１５】
また、前記イオン放出口を、前記加熱面に接近し且つその吹き出し方向を加熱面から離れる方向に設定したことにより、イオン流と補助電極の直接的な接触を未然に防止し、必要以上にイオンの除去が行われない様にすることができる。
【００１６】
また、前記補助電極とイオン放出口の間に、該イオン放出口から吹き出されたイオンが直接的に補助電極に接触することを阻止する隔離用リブを備えたことにより、イオン流と補助電極の直接的な接触を未然に防止し、必要以上にイオンの除去が行われない様にすることができる。
【００１７】
また、前記加熱面を挟んで幅方向両側にイオン放出口を備えたことにより、加熱面による毛髪の癖付けの前後におけるイオンの水分供給効果が、補助電極による過剰イオンの除去作用と相俟って有効に発揮される。
【発明を実施するための最良の形態】
【００１８】
以下、本発明にかかるヘアアイロンの放電手段の詳細を図２〜図５に示すヘアドライヤ３２に実施した一例に基づいて説明する。ここでヘアドライヤ３２は、図２にその全体的な構成を概略的に示す如く、横長筒状の本体ケース２６と、その本体ケース２６における基端側に揺動自在に取り付けたハンドル２８とを備える。
【００１９】
本体ケース２６内には、外部から供給される商用交流電圧Ｖａを駆動源とし、コイル状のヒータ３６を備えた発熱部３８を先端側に、その発熱部３８に対して送風を可能とするモータ４０とファン４２からなる送風部４４を基端側に各々備えるとともに、発熱部３８のヒータ３６内に放電部４６を備えてイオン生成させる。更に、ハンドル２８側に備えた図３に示す電気回路と切換スイッチ４８の切り換え操作と連動して、送風とイオン生成の時期を規制するとともに、発熱部３８に供給する電力の大小に対応して、送風時の風温を複数段階に変更可能としている。
【００２０】
ここで送風部４４は、ダイオードブリッジ５０で商用交流電圧Ｖａを全波整流し、この電圧で駆動される直流モータ４０でファン４２を回転させるものであって、切換スイッチ４８の第１段階のスライド操作に対応して第１接点５２がオンし、発熱部３８における加熱を伴わない常温による送風が開始される。
【００２１】
次に発熱部３８は、切換スイッチ４８の第２段階のスライド操作で第１接点５２に加えて第２接点５４もオンし、ダイオード５６を介して半波整流された電圧がヒータ３６に印加される結果、ヒータ３６は定格値の半分の電力で駆動されて、中温による送風が行われる。切換スイッチ４８を更に第３段階にまでスライド操作すると、ダイオード５６と並列に繋いだ第３接点５８もオンし、第１〜第３接点５２・５４・５８を介して商用交流電圧Ｖａがそのままヒータ３６に印加される結果、高温による送風が行われる。なお、上記した送風部４４と発熱部３８の構成は従来と略同様なので、その詳細な説明は省略する。また、他の周知の構成と取り替えて実施できることも勿論である。
【００２２】
本発明は、図４および図５において具体的に例示する放電部４６の構成にその特徴を有するものであって、切換スイッチ４８における第１接点５２のオンと同時に、図６（ａ）に示す商用交流電圧Ｖａが低圧整流回路６０に印加されて動作を開始する。
【００２３】
低圧整流回路６０は、入力された商用交流電圧Ｖａをダイオード６２で半波整流したあと抵抗６４とコンデンサ６６で積分することにより、図６（ｂ）の様にピーク値が１００Ｖ前後で変動する脈流電圧Ｖｂが形成されるので、この脈流電圧Ｖｂを、表示回路７０とパルス電圧発生回路７２の駆動電圧とする。
【００２４】
表示回路７０は、本体ケース２６あるいはハンドル２８上に発光ダイオード７４を備え、低圧整流回路６０から出力される電圧Ｖｂで発光ダイオード７４を点灯することにより、放電部４６の動作中を表示する。
【００２５】
パルス電圧発生回路７２は、昇圧トランス７６の一次コイル７８と直列にコンデンサ８０を接続するとともに、その直列接続されたものと並列にサイダック８２を接続した構成をとる。サイダック８２は印加電圧が低い間はオフしているが、入力される脈流電圧Ｖｂの値が例えば８０Ｖを超えるとオンする規格のものであって、サイダック８２のオフ期間中に脈流電圧Ｖｂによりコンデンサ８０を充電しておき、その充電電流がサイダック８２のオン時にサイダック８２および一次コイル７８を介して急激に放電するとともにサイダック８２をオフさせる。この動作を、脈流電圧Ｖｂが８０Ｖ以下に低下してサイダック８２が常時にオフする時点まで周期的に繰り返すことにより、図６（ｃ）の様な間欠的に発生するパルス電圧Ｖｃが、昇圧トランス７６の一次コイル７８に発生される。
【００２６】
このパルス電圧Ｖｃは、昇圧トランス７６の一次コイル７８と二次コイル８６間の巻線比に対応して昇圧されたあと、二次コイル８６と直列に接続されるダイオード８８とコンデンサ９０からなる高圧整流回路９２に印加される。高圧整流回路９２では、二次コイル８６から間欠的に出力される高電圧のパルス電圧を積分することにより、図６（ｄ）の様に２〜４ｋＶの範囲で変動するマイナス極性の高電圧Ｖｄが形成され、その電圧Ｖｄが電極部９４に印加される。なお、高電圧Ｖｄを形成するための具体的な回路構成は上記に限定されるものではなく、従来から使用されている周知の昇圧回路を使用するなど、適宜変更して実施できることは勿論である。
【００２７】
電極部９４は図５の様にユニット化され、図２に示す本体ケース２６における熱風の吹出口９６の中央位置に配置した導風筒９８内に設置した例を示すが、マイナスイオン１１２の生成および本体ケース２６の外部への放出が可能であれば、例えばイオン放出専用の通風路を本体ケース２６の周面に設け、その中に電極部９４を配置するなど、その電極構造、配設数あるいは配設位置は限定されるものではない。
【００２８】
本実施例における電極部９４は、先端が尖った針状の放電電極１６を中心とし、その周囲に円筒状の対向電極２０を配設するとともに、放電電極１６と対向電極２０との間を絶縁部材１００で隔離している。絶縁部材１００は、放電電極１６の先端部分を残して対向電極２０の内側を充填する絶縁部１０２と、放電電極１６の先端部分を前方に向けて包囲する円筒状の隔離部１０４とから構成され、放電電極１６と対向電極２０間に、コロナ放電はするが火花放電等の他の放電を阻止するだけの十分な距離を確保する。
【００２９】
更に、高圧整流回路９２のコンデンサ９０におけるマイナス極と放電電極１６とを例えば数ＭΩ程度の高抵抗１０６を介して導線１０８で接続する一方、コンデンサ９０のプラス極と対向電極２０とを導線１１０で接続する。かかる構成により、放電電極１６に対してマイナス極性の高電圧Ｖｄを印加し、放電電極１６の先端部分のみに限定してコロナ放電を発生させ、隔離部１０４の内部におけるマイナスイオン１１２の生成を可能とする。
【００３０】
導風筒９８は、前記した隔離部１０４の前方にあって、それより稍大きい直径の円筒状の第１筒部１１４と、その第１筒部１１４の基端側から末広がり状態で電極部９４の周囲を包囲して伸びる円錐台形状の第２筒部１１６とから構成される。そして、導風筒９８と電極部９４間は支持腕１１８で両者間に所定の間隙１２２を維持することにより、空気流入口９９を通って送風部４４から送られる空気流１２０がその間隙１２２を通過して第１筒部１１４の先端部にあるイオン放出口２４から吹き出される際、隔離部１０４内で生成されたマイナスイオン１１２を誘引し、空気流１２０とともにイオン流１２４として本体ケース２６の外部に放出させるのである。
【００３１】
本発明にあっては更に、対向電極２０と電気回路側のアースライン１８とを例えば１〜数ＭΩ程度の高抵抗１２６を介して接続することにより、対向電極２０の電位を略接地電位に保持する。
【００３２】
一方、上記したハンドル２８あるいは本体ケース２６上であって、手の平で握った際に触れる部分に露出させて、金属板あるいは導電ゴム等の導電部材からなる補助電極２２を１乃至複数箇所に配設するとともに、その補助電極２２と本体ケース２６内の対向電極２０とを、例えば数ＭΩ程度の高抵抗１２８を介して接続して略同電位とする。
【００３３】
なお、前記した補助電極２２として使用する導電性部材としては、例えば天然ゴムまたは合成ゴムに、導電性物質（ファーネスカーボンやアセチレンブラック等の導電性カーボン、導電性酸化チタン、導電性酸化亜鉛など）を充填して形成した導電性ゴムを使用することができる。
【００３４】
この様な導電性ゴムを使用することにより、金属板であれば握った際に冷たく不快に感じることがあったがそれを防止できるとともに、滑り止めにもなって都合がよい。具体的には、軟化剤や老化防止剤等の電子部品を汚染、腐食させる各種添加剤を必要せず、耐油性、耐熱性、耐オゾン性に優れる導電性シリコーンゴムを使用する。導電性ゴムの範疇としては、常温付近でゴム状弾性を示す高分子材料であるエラストマー樹脂に導電性物質を充填した導電性エラストマーも含むものとする。また、滑り止めの効果はないが、握った際の冷たさのみを防止するならば、各種導電性樹脂を補助電極２２として使用できる。なお、導電性物質の充填量を少なく調整すれば、抵抗値を大きくできるので、高抵抗１２８は省略することができる。
【００３５】
以上の様な補助電極２２を備えることにより、実質的に対向電極２０の面積が増し、放電時における電子の補給面積が増大し、マイナスイオンの生成が効率よく行える。更に補助電極２２を人体に接触させると、本体ケース２６内のアースライン１８と対向電極２０は補助電極２２を介して人体の一部に接続され、人体に帯電した電子をアースライン１８側に放電し、人体がマイナス電位に帯電するのを未然に防止しながら、放電電極１６の近傍における電界強度を十分大きく維持し、マイナスイオン１１２の生成量を更に増加させることを可能とするのである。
【００３６】
例えば図７に示す如く、補助電極２２を人体に接触させなかった０〜１分半の間におけるマイナスイオン１１２の発生量は、最高でも１ｃｃ当り２５万個程度であり、時間の経過とともにその量も減少傾向にあったものが、補助電極２２に人体を接触させた時点ａから約２倍の５０万個にイオン量は増加するとともに、その量は時間経過に拘らず、略一定に維持されることが確かめられた。
【００３７】
なお補助電極２２は、前記した様にそれ専用として備える他に、ハンドル２８や本体ケース２６の一部または全部を金属板の様な導電材料で形成してそれを利用することも可能であるし、ケースを分割形状としてその組み立て用として備えた金属製ビスや金具をそのまま或いは外部から接触可能な大きさや形状に変形して利用することにより、部品点数の増加を防止することができる。
【００３８】
また、使用中は必ず人体に接触する様に補助電極２２の形状および配設位置を設定することも可能であるが、例えば指先で補助電極２２に触れるか触れないかを選択可能とすることにより、マイナスイオン１１２の生成量を手動で変更できる様にしてもよい。
【００３９】
更に、送風部４４のオンオフ用として備えた切換スイッチ４８で放電部４６も同時にオンオフ規制させず、放電部４６の動作を規制させる専用のスイッチを設けることもできる。その場合、使用中は補助電極２２へ常時に人体が接触可能とする一方、別に設けたイオン発生専用のスイッチの切換操作と連動して、放電部４６に対する通電を停止したマイナスイオン１１２の発生をオフした状態から、放電部４６が動作しているが補助電極２２がアースライン１８に接続されていない通常のイオン発生状態へ、更に、補助電極２２をアースライン１８に接続することによって補助電極２２を使用した強力なイオン発生へと、スイッチの切換動作と連動して３段階にイオン発生量を変更させることも可能である。
【００４０】
次に、図８は、ヘアブラシ１３０の提案例であって、下面側にブラシ面１３２を備えた本体ケース２６の基端側中央から、軸方向に直線状にハンドル２８を伸ばすとともに、本体ケース２６内に放電部４６ａを収納している。なお、上記したヘアドライヤ３２における構成と実質的に同一の機能を果たす部材については、同一の番号を付すことにより、その詳細な説明を省略している。
【００４１】
ブラシ面１３２は、ハンドル２８の伸び方向に長い楕円形あるいは長方形であって、１または複数のイオン放出口２４を設けるとともに、そのイオン放出口２４を除いた略全面に亘ってブラシ毛１３４が植設されている。
【００４２】
本体ケース２６内に収納する放電部４６ａと電極部９４ａの構成は、上記したヘアドライヤ３２に適用した図３〜図５に例示するものから発熱部３８を除いた構成と同一あるいは類似の構成を採用することも可能である。すなわち、商用交流電圧Ｖａを利用して送風部４４を駆動し、空気流１２０によって強制的にマイナスイオン１１２をイオン放出口２４から吹き出させるとともに、ハンドル２８の部分に補助電極２２を設ける構成である。
【００４３】
しかしながら、本実施例にあっては、例えば３Ｖ程度の出力電圧を有する乾電池あるいは二次電池等の各種電池１３６を本体ケース２６やハンドル２８に内蔵し、その電池１３６からの出力電圧を図示しないインバータ回路を利用して１００Ｖ程度の交流電圧に変換し、この電圧を図４に示すパルス電圧発生回路７２の入力電圧および表示回路７０の駆動電圧とすることにより、商用交流電圧Ｖａを使用することなく電池１３６のみで駆動できる様にしている。また図３に示す送風部４４を備えることなく、放電時に発生するイオン風あるいは整髪に伴う自然対流を利用してマイナスイオン１１２を髪に供給する。
【００４４】
更に本提案例にあっては、補助電極２２をハンドル２８や本体ケース２６上に備えるのに加えて、あるいはそれらの上に備えるのに代えてブラシ面１３２上に設けたことを特徴とする。ここで、ブラシ面１３２上に設ける補助電極２２ａ・２２ｂは、ブラシ面１３２における幅方向の両側縁に沿って、細帯状のものを２本形成している。更に補助電極２２は、ブラシ面１３２のみに限定して配置することも可能であるが、図示例では、本体ケース２６の両側面２７・２７にまで回り込んで、断面が略Ｌ字形状に構成している。
【００４５】
かかる構成により、ハンドル２８上に設けた切換スイッチ４８ａのオン操作をすると、スイッチ接点５２ａがオンして放電部４６ａを駆動すると同時に、表示回路７０の発光ダイオード７４に通電し、放電部４６ａの駆動中を表示する。
【００４６】
この様に放電部４６ａが駆動され、イオン放出口２４からマイナスイオンが吹き出されている状態で、ブラシ毛１３４を図８（ｃ）の様に毛髪１５０中に差し込んで梳き動作を開始する。すると、先ず前端縁に備えた第１番目の補助電極２２ａが髪１５０に帯電している不要な電子を放電する。この状態で、ブラシ面１３２の中央から放出されるイオン流１２４を毛髪１５０に作用させながらブラシ毛１３４でブラッシングを行った後、第２番目の補助電極２２ｂで過剰な電子を放電することにより、毛髪１５０の帯電状態を中和して元に戻す。ここで、補助電極２２を本体ケース２６の側面２７にまで延長することにより、カールしながらブラッシングする際でも、補助電極２２ａ・２２ｂを髪１５０に接触させ、負の帯電状態を有効に中和できるのである。
【００４７】
なお、補助電極２２は、ブラシ面１３２の周縁に沿って全周に亘って設けることも可能であるし、逆に一方の側縁のみに設けることもできる。しかしながら、イオン放出口２４を分散して複数設けたり、その口径を軸方向に大きい楕円形状とした場合にあっては、そのイオン放出口２４を幅方向に挟み、イオン放出口２４の長手方向長さと補助電極２２の長さを略同等あるいはそれ以上の長さに設定することが好ましい。かかる構成により、イオン放出口２４より吹き出されるマイナスイオンによる毛髪の帯電が確実に中和される。
【００４８】
また、補助電極２２を本体ケース２６とは別体の金属材で構成するほかに、ブラシ毛１３４の基端を固定するブラシ面１３２を導電性ゴムの様な導電部材で構成し、その導電部材を補助電極２２として利用することもできる。この場合、導電部材をブラシ面１３２の全面に設けることも可能であるが、マイナスイオン１１２の吹き付け効果を高めるため、前記した様な周縁位置に限定して設けることが好ましい。
【００４９】
更に、ブラシ毛１３４を導電性樹脂或いは導電性ゴムで構成し、補助電極２２とすることができる。その場合、ブラシ毛１３４が毛髪１５０の深部まで到達するので、マイナスイオンによる毛髪１５０の帯電状態を効果的に中和でき、次のブラッシング時におけるマイナスイオンの供給が効果的に行える。
【００５０】
図９〜図１１は、本発明に係るヘアアイロン１３８の一例を示すものであって、本実施例にあっては前記したヘアブラシ１３０におけるブラシ面１３２に代えて、本体ケース２６の下面側にアイロン部１４０を備えている。なお、上記したヘアドライヤ３２およびヘアブラシ１３０における構成と実質的に同一の機能を果たす部材については、同一の番号を付すことにより、その詳細な説明を省略している。
【００５１】
アイロン部１４０は、本体ケース下面１４２と、ハンドル２８の基端位置に設けた回転軸１４３に揺動自在に取り付けた挟持腕１４４の上面１４６とが一対となって構成されている。この挟持腕１４４はコイルばね等のバネ体１４５で常時は開き付勢されており、図１１に例示する如く、本体ケース下面１４２と挟持腕１４４の上面１４６間でバネ体１４５に抗して髪１５０を挟むことにより、幅方向両側に備えた整髪コーム１４８で毛髪１５０を梳きながら、中央部の長手方向に備えた長方形状の加熱面１５２・１５２により髪１５０を加熱およびプレスすることを可能とする。
【００５２】
なお、加熱面１５２は金属板の様な熱板で形成するとともに、その熱板に対する加熱は、本実施例にあってはＰＴＣ等の公知の発熱体を使用したヒータ３６ａを、例えばシリコーンゴムの様な絶縁部材を介して電気的に絶縁した状態で加熱面１５２の裏面側に接して内蔵することにより行っているが、熱板それ自体をヒータと一体に構成するなど、その構成は限定されるものではない。また、ヒータ３６ａを上下の加熱面１５２・１５２の両方に設ける必要はなく、一方の加熱面のみに設けて発熱させ、他方の加熱面と一対となって髪を加熱およびプレスさせる様に構成することもできる。その場合にあっても、また、アイロン部１４０の全体的な構成は従来と略同様であるから、詳細な説明は省略する。
【００５３】
本発明にあっては、更に、放電部４６を本体ケース２６内に備えてマイナスイオンを処理中の髪１５０に吹き付けることを可能とする。放電部４６の回路構成は、図４と同一または類似のものが使用される。
【００５４】
放電部４６に備える電極部９４ｂは、本体ケース下面１４２の周縁位置で、整髪コーム１４８の更に外側に並行して１組ずつ配設されるものであって、所定間隔で１または複数（本実施例にあっては３つ）の放電電極１６を設ける一方、各放電電極１６から稍離間してリング状の対向電極２０を備えることにより、針状の放電電極１６における先端近傍でコロナ放電をさせ、マイナスイオンを略帯状に発生させることを可能としている。
【００５５】
なお、電極部９４ｂの構成は、図５に示すものなど、マイナスイオンを発生可能な構成であれば、その電極形状が限定されないことは勿論である。また電極部９４ｂの数も、整髪コーム１４８の外側に複数個ずつ設ける必要はなく、両側に１つずつ設けることも可能であるし、少なくとも例えば中央に１つあれば足りる。
【００５６】
ここでイオン放出口２４は、前記した電極部９４ｂの配設位置に対応した細幅のスリット形状であって、更に開口方向を斜め外側に傾斜させることにより、放電電極１６の近傍で発生したマイナスイオンが、ファン４２による空気流１２０で本体ケース２６から離れる方向にイオン流１２４が吹き出される様に構成する。
【００５７】
更に、接近対向する加熱面１５２・１５２を構成する熱板の少なくとも一方を金属板の様な導電部材で構成するとともに、その導電部材で形成した加熱面１５２を補助電極２２として利用している。なお補助電極２２は、加熱面１５２を電極として利用するのに代えて或いは加えて、別体の電極を加熱面１５２上あるいはその近傍に備えることも可能であるし、ヘアドライヤ３２の場合と同様に、ハンドル２８や本体ケース２６上に補助電極２２を設けてもよい。
【００５８】
また、上下の加熱面１５２・１５２を金属製とした場合にあっては、更にその全面を導電性ゴム或いは導電性樹脂で被覆するよう構成し、これを熱板と補助電極２２として利用することができる。これによって、マイナスイオンによる毛髪の帯電状態を中和できるとともに、加熱面１５２に触れた際に熱く感じるのを軽減できる。
【００５９】
かかる構成により、スイッチ４８をオンすることによって、ファン４２を回転駆動する送風部４４のモータ４０、加熱面１５２を熱するヒータ３６ａ、放電部４６、及び放電部４６の駆動中を表示する発光ダイオード７４に対して同時に駆動電力が供給され、動作を開始する。このとき、加熱面１５２の温度が例えば１４０℃前後を維持するように、ヒータ３６ａに対する供給電力は自動制御される。
【００６０】
そして、前記したアイロン部１４０で毛髪１５０を挟んだまま図１１における矢印方向にスライドさせる。すると、スライド方向の前縁側にあるイオン放出口２４ａから吹き出されたマイナスイオンが毛髪１５０に付着する結果、毛髪１５０に水分を補給して潤いを与えて柔らかくする。
【００６１】
毛髪１５０におけるこの水分が補給された部分は、ヘアアイロン１３８のスライド移行に伴って上下の加熱面１５２・１５２の間を通ることにより、加熱と同時に圧縮され、加熱面１５２が平面か波型か等の形状の違いに対応した所定の癖付けが行われると同時に、補助電極２２としての作用によって帯電状態が中和される。更にこの中和された毛髪１５０は、後縁側のイオン放出口２４ｂの下を通過することにより、再度マイナスイオン１１２が吹き付けられ、その結果、上下の加熱面１５２・１５２間で圧縮乾燥された毛髪１５０に水分を再補給し、潤い状態を取り戻すことを可能とするのである。
【００６２】
その際、図１０において示す通り、１対のイオン放出口２４ａ・２４ｂと加熱面１５２・１５２の軸方向長さを略同一に構成しているので、一方のイオン放出口２４ａによりマイナスイオン（水分）を髪１５０に補給後、その補給部位を確実にプレスできるとともに、補給されて帯電したマイナスイオンを万遍なく除去・中和することができる。このプレス後にあっても、水分は若干残るが不足するので、除去した後に続けてスライド方向後方のイオン放出口２４ｂによって、マイナスイオンが送給されて、髪に潤いを取り戻すことができるのである。
【００６３】
更に、イオン放出口２４が外方向に傾斜して形成されているので、アイロン部１４０の中心にある補助電極２２とイオン放出口２４から吹き出されたイオン流１２４との間で十分な隔離状態が維持され、マイナスイオンが毛髪１５０に到達する前に補助電極２２で捕捉されて消滅することを未然に防止している。同様の効果は、図１２の様に補助電極２２とイオン放出口２４間にリブ１５４を備えて両者を隔離することによっても可能である。
【００６４】
図１２の様に電極部９４を１組に限定し、そこから発生するマイナスイオンを、空気流１２０と通風路１５６によって複数のイオン流１２４・１２４に分割することも可能である。
【図面の簡単な説明】
【００６５】
【図１】本発明にかかるヘアアイロンの放電手段を概略的に示す説明図である。
【図２】ヘアドライヤの中央縦断面図である。
【図３】ヘアドライヤに備える電気回路の全体を示す。
【図４】放電部の一例を示す電気回路図である。
【図５】放電電極の取り付け状態を示す拡大断面図である。
【図６】放電部の動作状態を示す波形図である。
【図７】補助電極を使用する前後におけるイオン発生量の変化を示すグラフである。
【図８】ヘアブラシの一例を示し、（ａ）は平面図を、（ｂ）は（ａ）におけるＡ−Ａ線方向に沿って切断した断面図を、（ｃ）は（ａ）におけるＢ−Ｂ線方向に見た図を各々示す。
【図９】本発明に係るヘアアイロンを示す側面図である。
【図１０】ヘアアイロンにおける本体ケースの下面側を見た図である。
【図１１】図９におけるＣ−Ｃ線方向に切断した拡大断面図である。
【図１２】図１１に類似する図であって、他の実施例を示す。
【符号の説明】
【００６６】
１０  ケース体
１２  放電手段
１４  イオン発生器具
１５  スイッチング手段
１６  放電電極
１８  アースライン
２０  対向電極
２２  補助電極
２４  イオン放出口
２６  本体ケース
２７  本体ケース側面
２８  ハンドル
３０  送風手段
３２  ヘアドライヤ
３６  ヒータ
３８  発熱部
４０  モータ
４２  ファン
４４  送風部
４６  放電部
４８  切換スイッチ
５２  切換スイッチの第１接点
６０  低圧整流回路
７０  表示回路
７２  パルス電圧発生回路
７４  発光ダイオード
７６  昇圧トランス
７８  一次コイル
８０  パルス電圧発生回路のコンデンサ
８２  サイダック
８６  二次コイル
８８  ダイオード
９０  高圧整流回路のコンデンサ
９２  高圧整流回路
９４  電極部
９８  導風筒
１００  絶縁部材
１０２  絶縁部
１０４  隔離部
１０６  高抵抗
１１２  マイナスイオン
１２０  空気流
１２２  間隙
１２４  イオン流
１２６  高抵抗
１２８  高抵抗
１３０  ヘアブラシ
１３２  ブラシ面
１３４  ブラシ毛
１３６  電池
１３８  ヘアアイロン
１４０  アイロン部
１４２  本体ケースの下面
１４４  挟持腕
１４６  挟持腕の上面
１４８  整髪コーム
１５０  毛髪
１５２  加熱面
１５４  リブ
１５６  通風路